(57)【要約】【課題】構造が簡単で、かつ、掃除しやすい電気掃除機を提供する。【解決手段】電気掃除機は、電動吸引部を有する掃除機本体に、ホース、パイプ１３、および集塵部が順に接続される。パイプ１３には、モップＭの掃除部Ｍ１を挿入することが可能な挿入部２０が配設されている。挿入部２０は、内側にモップＭの掃除部Ｍ１を挿入する挿入空間２１が設けられた内部材２２と、この内部材２２との間に吸引空間２３を設けて内部材２２の外側に設けられた外部材２４とを有している。吸引空間２３は、外部材２４に設けられた外開口２４Ａを介してパイプ１３の内部に連通されると共に、内部材２２に設けられた内開口２２Ａを介して挿入空間２１に連通されている。【選択図】図２
2012055612.tif 000002
【特許請求の範囲】
【請求項１】
電動吸引部を有する掃除機本体と、この掃除機本体に対して一端部が接続されるホースと、このホースの他端部に接続されるパイプと、このパイプの先端に接続される集塵部とを備えた電気掃除機であって、
前記パイプには、モップの掃除部を挿入することが可能な挿入部が配設され、
前記挿入部は、内側にモップの掃除部を挿入する挿入空間が設けられた内部材と、この内部材との間に吸引空間を設けて前記内部材の外側に設けられた外部材とを有し、
前記吸引空間は、前記外部材に設けられた外開口を介して前記パイプの内部に連通されると共に、前記内部材に設けられた内開口を介して前記挿入空間に連通されている
ことを特徴とする電気掃除機。
【請求項２】
前記外開口を開閉する開閉弁と、
この開閉弁から内部材を貫通して挿入空間まで伸長して設けられ、押圧されることにより、前記開閉弁を移動させて前記外開口を開放する押圧部材と、
この押圧部材を押圧方向とは逆方向に付勢し、その付勢力により、前記押圧部材および前記開閉弁を移動させて前記外開口を閉鎖する付勢部材と
を備えたことを特徴とする請求項１に記載の電気掃除機。
【請求項３】
前記内部材の外側には羽が設けられており、前記内部材は、前記掃除機本体による吸引の風力を利用して回転可能とされたことを特徴とする請求項１または請求項２に記載の電気掃除機。
【発明の詳細な説明】
【技術分野】
【０００１】
本発明は、モップに吸着された塵埃を吸引除去することができる電気掃除機に関する。
【背景技術】
【０００２】
室内の清掃を行う際に、モップと電気掃除機とを使用して行う場合がある。一般に、モップは、小さな塵埃等を取り除くのに使用され、電気掃除機は、大きな塵埃等を吸引除去するのに使用される。特に、水を使わない乾式のハンディーモップは、化粧品の瓶が並んだ鏡台の上や照明の傘、ブラインドなどの電気掃除機では難しい個所を掃除するのに便利である。しかし、ハンディーモップは、塵埃を吸着する能力に限界がある。また、吸着した塵埃を外で払ったり、ゴミ箱の中で払ったりする際に、塵埃が室内に舞ってしまう場合もある。そこで、電気掃除機を利用して吸着した塵埃を除去することが提案されている。例えば、特許文献１には、吸込口体、電動送風機、集塵室を有する掃除機本体に対し、先端にモップを装備した棒状の枝を着脱自在に配設し、モップを掃除機本体の収納部に収納してモップに付着した塵埃を吸引可能とした電気掃除機が記載されている。
【先行技術文献】
【特許文献】
【０００３】
【特許文献１】特開２００６−３４０８２６号公報
【発明の概要】
【発明が解決しようとする課題】
【０００４】
しかしながら、特許文献１に記載されている電気掃除機は、掃除機の枝をモップの枝としても使用するので、枝は掃除機本体に対して着脱自在とし、かつ、掃除機本体を自由に移動させることができるように固定しなければならず、構造が複雑になるという問題があった。また、枝は掃除機本体を移動させるために強固な構造としなければならず、モップの枝としては重くなってしまい、使いにくいという問題もあった。
【０００５】
本発明は、このような問題に基づきなされたものであり、構造が簡単で、かつ、掃除しやすい電気掃除機を提供することを目的とする。
【課題を解決するための手段】
【０００６】
本発明の電気掃除機は、電動吸引部を有する掃除機本体と、この掃除機本体に対して一端部が接続されるホースと、このホースの他端部に接続されるパイプと、このパイプの先端に接続される集塵部とを備えたものであって、パイプには、モップの掃除部を挿入することが可能な挿入部が配設され、挿入部は、内側にモップの掃除部を挿入する挿入空間が設けられた内部材と、この内部材との間に吸引空間を設けて内部材の外側に設けられた外部材とを有し、吸引空間は、外部材に設けられた外開口を介してパイプの内部に連通されると共に、内部材に設けられた内開口を介して挿入空間に連通されているものである。
【発明の効果】
【０００７】
本発明の電気掃除機によれば、パイプにモップの掃除部を挿入可能な挿入部を配設し、モップの掃除部を挿入する挿入空間をパイプの内側に連通させるようにしたので、簡単な構造でモップの掃除部に吸着された塵埃を吸引除去することができる。また、モップを掃除機本体と一体化する特別な構造とする必要がなく、一般に使用されている程度の軽いモップで作製することができる。更に、挿入部にモップを挿入しておけば、電気掃除機を使用しながら、必要に応じて、簡単にモップを抜いて使用することができる。
【０００８】
また、外開口を開閉する開閉弁に内部材を貫通して挿入空間まで伸長する押圧部材を設け、押圧部材を押圧することにより、外開口を開放するようにすれば、モップで押圧部材を押圧して外開口を開放し、簡単に、吸着された塵埃を吸引除去することができる。
【０００９】
更に、内部材の外側に羽を設け、掃除機本体による吸引の風力を利用して回転可能とすれば、帯電量が異なる内部材とモップの掃除部とが擦り合わされて、静電気が発生し、掃除部の塵埃を吸着する能力を向上させることができる。
【図面の簡単な説明】
【００１０】
【図１】本発明の一実施の形態に係る電気掃除機の全体構成を表す図である。
【図２】図１に示した電気掃除機の一部を拡大して表す部分断面図である。
【図３】本発明の一実施の形態に係る電気掃除機の変形例を表す図である。
【発明を実施するための形態】
【００１１】
以下、本発明の実施の形態について図面を参照して詳細に説明する。
【００１２】
図１は、本発明の一実施の形態に係る電気掃除機１０の全体構成を表すものであり、図２は図１に示した電気掃除機１０の一部を拡大して表す部分断面図である。この電気掃除機１０は、電動吸引部を有する掃除機本体１１と、この掃除機本体１１に対して一端部が接続されるホース１２と、このホース１２の他端部に接続されるパイプ１３と、このパイプ１２の先端に接続される集塵部１４とを備えている。掃除機本体１１とホース１２、ホース１２とパイプ１３、および筒状体１３と集塵部１４は、それぞれ、着脱可能とされており、必要に応じて接続したり、分離したりすることができるようになっている。
【００１３】
この電気掃除機１０は、また、パイプ１３に、モップＭの掃除部Ｍ１を挿入可能な挿入部２０が配設されている。挿入部２０は、内側にモップＭの掃除部Ｍ１を挿入する挿入空間２１が設けられた内部材２２と、この内部材２２との間に吸引空間２３を設けて内部材２２の外側に設けられた外部材２４とを有し、二重構造とされている。内部材２２および外部材２４は、例えば、筒状であり、一方は閉鎖され、他方にはモップＭの掃除部Ｍ１を挿入するための挿入口が設けられている。内部材２２と外部材２４とは、挿入口の側において連続または接合されており、吸引空間２３の挿入口の側は閉鎖されている。
【００１４】
内部材２２には、例えば、側面の全周にわたって複数の内開口２２Ａが設けられており、外部材２４には、例えば、閉鎖端部の中央部に複数の外開口２４Ａが設けられている。外部材２４の外側には、例えば、外開口２４Ａを開閉する開閉弁２５が配設されている。開閉弁２５には、押圧部材２６が開閉弁２５から外部材２４および内部材２２を貫通して挿入空間２１まで伸長して設けられている。すなわち、開閉弁２５は、押圧部材２６が挿入空間２１の側から押圧されることにより、外部材２４から離間する方向に移動し、外開口２４Ａを開放するように構成されている。押圧部材２６の挿入空間２１の側の端部には、例えば、モップＭの挿入口と対向するように、モップＭの柄Ｍ２を当接するための凹部を設けるようにしてもよい。
【００１５】
押圧部材２６の挿入空間２１の側には、例えば、押圧部材２６の周りに突出するように係止部２６Ａが設けられている。係止部２６Ａと内部材２２との間には、例えば、押圧部材２６を挿入空間２１の側に付勢するスプリングなどの付勢部材２７が配設されている。付勢部材２７は、押圧部材２６を押圧方向とは逆方向に付勢し、その付勢力により開閉弁２５を外部材２４の方に移動させて、外開口２４Ａを閉鎖するように構成されている。外部材２４の外側には、外開口２４Ａとパイプ１３に設けられた連通口１３Ａとを連通するための連通部２８が設けられている。吸引空間２３は、外開口２４Ａ、連通部２８、および連通口１３Ａを介してパイプ１３の内部に連通されると共に、内開口２２Ａを介して挿入空間２１に連通されている。また、パイプ１３には、例えば、挿入部２０の上方に、モップＭの柄Ｍ２を固定するフックなどの支持具１３Ｂを設け、パイプ１３を動かした時にモップＭががたついたり、落下してしまうことを防止するようにしてもよい。更に、支持部１３Ｂは、例えば図２（Ａ）に示したように、モップＭを押圧部材２６から離間した状態で支持することができるようにし、必要なときだけモップＭで押圧部材２６を押圧することができるようにしてもよい。
【００１６】
この電気掃除機１０では、掃除をする際には、例えば、掃除機本体１１にホース１２、パイプ１３、および集塵部１４を順に接続して、電動吸引部を駆動させることにより、集塵部１４から塵埃を吸引する。また、乾式のモップを用いて掃除する場合には、例えば図２（Ａ）に示したように、挿入部２０にモップＭを挿入しておき、電気掃除機１０を使用しながら、必要に応じて、モップＭを挿入部２０から抜いて使用する。
【００１７】
更に、モップＭの掃除部Ｍ１に付着した塵埃を除去したい場合には、例えば図２（Ｂ）に示したように、掃除部Ｍ１を挿入空間２１に挿入してモップＭの柄Ｍ２により押圧部材２６を押圧する。これにより、開閉弁２５が外部材２４から離間する方向に移動し、外開口２４Ａが開放されて挿入空間２１がパイプ１３の内部に連通され、掃除部Ｍ１に付着した塵埃は、挿入空間２１の空気と共に、電動吸引部の駆動により掃除機本体に吸引される。モップＭによる押圧部材２６の押圧を停止すると、例えば図２（Ａ）に示したように、押圧部材２６は、付勢部材２７により押圧方向とは逆方向に移動し、開閉弁２５が外部材２４の方に移動して外開口２４Ａを閉鎖する。
【００１８】
図３は、本実施の形態に係る電気掃除機１０の変形例を表すものであり、（Ａ）は部分断面図、（Ｂ）は内部材２２を取り出して表す斜視図である。この電気掃除機１０は、内部材２２を外部材２４に対して回転可能に配設したものである。例えば、外部材２４の挿入口側および閉鎖側には、内部材２２を回転可能に配設する配設部２４Ｂ，２４Ｃが設けられている。閉鎖側の配設部２４Ｃには、開口２４Ｄが設けられている。内部材２２の外側には羽２２Ｂが設けられており、内部材２２は、掃除機本体１１による吸引の風力を利用して回転可能とされている。その他の構成は、上述した電気掃除機１０と同一である。この電気掃除機１０では、モップＭの掃除部Ｍ１を挿入空間２１に挿入して外開口２４Ａを開放すると、風力により内部材２２が回転する。これにより、帯電量が異なる内部材２２とモップＭの掃除部Ｍ１とが擦り合わされて、静電気が発生し、掃除部Ｍ１の塵埃を吸着する能力が向上する。内部材２２は、モップＭの掃除部Ｍ１と帯電量の差が大きい材料により構成することが好ましい。
【００１９】
このように、本実施の形態に係る電気掃除機１０によれば、パイプ１３にモップＭの掃除部Ｍ１を挿入可能な挿入部２０を配設し、モップＭの掃除部Ｍ１を挿入する挿入空間２１をパイプ１３の内側に連通させるようにしたので、簡単な構造でモップＭの掃除部Ｍ１に吸着された塵埃を吸引除去することができる。また、モップＭを掃除機本体と一体化する特別な構造とする必要がなく、一般に使用されている程度の軽いモップＭで作製することができる。更に、挿入部２０にモップＭを挿入しておけば、電気掃除機１０を使用しながら、必要に応じて、簡単にモップＭを抜いて使用することができる。
【００２０】
また、外開口２４Ａを開閉する開閉弁２５に内部材２２を貫通して挿入空間２１まで伸長する押圧部材２６を設け、押圧部材２６を押圧することにより、外開口２４Ａを開放するようにすれば、モップＭで押圧部材２６を押圧して外開口２４Ａを開放し、簡単に、吸着された塵埃を吸引除去することができる。
【００２１】
更に、内部材２２の外側に羽２２Ｂを設け、掃除機本体１１による吸引の風力を利用して回転可能とすれば、帯電量が異なる内部材２２とモップＭの掃除部Ｍ１とが擦り合わされて、静電気が発生し、掃除部Ｍ１の塵埃を吸着する能力を向上させることができる。
【００２２】
以上、実施の形態を挙げて本発明を説明したが、本発明は上記実施の形態に限定されるものではなく、種々変形可能である。例えば、上記実施の形態では、各構成要素について具体的に構造を説明したが、他の構造を有するようにしてもよく、また、他の構成要素を備えていてもよい。更に、上記実施の形態では、パイプ１３にモップＭを固定する支持具１３Ｂを設け、必要に応じて押圧部材２６を押すことができる場合について説明したが、付勢部材２７の付勢力を調整することにより、挿入部２０にモップＭを挿入しただけでは押圧部材２６が押圧されず、必要に応じてモップＭに力を加えた場合に押圧部材２６を押すことができるように構成してもよい。
【産業上の利用可能性】
【００２３】
電気掃除機に適用することができる。
【符号の説明】
【００２４】
１０…電気掃除機、１１…掃除機本体、１２…ホース、１３…パイプ、１３Ａ…連通口、１３Ｂ…支持具、１４…集塵部、２０…挿入部、２１…挿入空間、２２…内部材、内開口…２２Ａ、２２Ｂ…羽、２３…吸引空間、２４…外部材、２４Ａ…外開口、２４Ｂ，２４Ｃ…配設部、２４Ｄ…開口、２５…開閉弁、２６…押圧部材、２６Ａ…係止部、２７…付勢部材、２８…連通部、Ｍ…モップ、Ｍ１…掃除部、Ｍ２…柄
【図１】
2012055612.tif 000003
【図２】
2012055612.tif 000004
【図３】
2012055612.tif 000005